(57)【要約】    【課題】      上りの高速パケット伝送が可能な無線通信システムにおいて、この無線通信システムのリソースの有効的な活用、さらにシステムの効率的な稼働を実現する通信端末装置及び無線通信方法を提供すること。    【解決手段】  通信端末装置４０１が、基地局装置４０９に対して上り高速パケット伝送中にハンドオーバを行う際に、基地局装置４０７、４０９からのＳＹＬ情報又は通信端末装置自身が求めるセル４０３、４０５内における干渉電力推定値を利用してその基地局装置のシステム負荷状況を判断し、最もシステム負荷の少ない基地局装置を継続してパケット転送を行う先として選択することにより、無線通信システムのリソースの有効的な活用、さらにシステムの効率的な稼働を実現することができる。  【選択図】      図６
2005229417.tif 000002
【特許請求の範囲】
【請求項１】
ハンドオーバをする際に、複数の基地局装置の中で最もシステム負荷の少ない基地局装置を選択する選択手段と、
前記選択した基地局装置に対し、ハンドオーバ先として接続する接続手段と、
を具備することを特徴とする通信端末装置。
【請求項２】
上り回線で通信端末装置が基地局装置にパケットを伝送する通信システムにおける通信端末装置であって、
前記パケット伝送中にハンドオーバを行う際、前記複数の基地局装置の中で最もシステム負荷の少ない基地局装置を選択する選択手段と、
前記選択した基地局装置に対し、前記パケットを送信する送信手段と、
を具備することを特徴とする通信端末装置。
【請求項３】
リンクを張っている複数の基地局装置からの信号を受信する受信手段をさらに具備し、
前記選択手段は、前記受信手段が受信した信号に基づいて、最もシステム負荷の少ない基地局装置を選択することを特徴とする請求項１又は請求項２記載の通信端末装置。
【請求項４】
リンクを張っている複数の基地局装置から前記基地局装置における自機の送信信号の受信電力値を受信する受信手段と、
前記受信した受信電力値と、前記送信信号の送信電力値とから伝搬ロスを求め、前記伝搬ロスと、前記基地局装置から自機に割り当てられた送信パラメータに対応したＳＩＲとから前記基地局装置のセル内における干渉電力推定値を算出する制御手段と、
を具備し、
前記選択手段は、前記干渉電力推定値に基づいて、前記複数の基地局装置の中で最もシステム負荷の少ない基地局装置を選択することを特徴とする請求項１又は請求項２記載の通信端末装置。
【請求項５】
上り回線で通信端末装置が基地局装置にパケットを伝送する通信システムにおける無線通信方法であって、
前記パケット伝送中にハンドオーバを行う際、前記複数の基地局装置の中で最もシステム負荷の少ない基地局装置を選択するステップと、
前記選択した基地局装置に対し、前記パケットを送信するステップと、
を具備することを特徴とする無線通信方法。
【請求項６】
自機がカバーするセル内にある全通信端末装置からの上り回線における受信電力、他セルからの干渉電力及び熱雑音の和を測定する測定手段と、
前記測定手段の測定値を示す測定値情報を自機がカバーするセル内の全通信端末装置に向けて送信する送信手段と、
を具備することを特徴とする基地局装置。
【請求項７】
リンクを張っている請求項６記載の基地局装置からトラヒック情報又は測定値情報を受信する受信手段と、
ハンドオーバをする際に、前記トラヒック情報又は測定値情報に基づいて、ハンドオーバ先の基地局装置を選択し、その基地局装置に対する伝送レートなどのパラメータを決定する制御手段と、
前記選択した基地局装置に対し、ハンドオーバ先として接続する接続手段と、
を具備することを特徴とする通信端末装置。
【請求項８】
前記制御手段は、前記トラヒック情報、前記測定値情報及びスケジュール情報を変数とする所定の関数に基づいて、前記伝送レートを決定することを特徴とする請求項７記載の通信端末装置。
【発明の詳細な説明】
【技術分野】
【０００１】
本発明は、通信端末装置及び無線通信方法に関し、特に上り回線においてパケット伝送を行う無線通信システムに用いられる通信端末装置及び無線通信方法に関する。
【背景技術】
【０００２】
従来、Ｗ−ＣＤＭＡ（Wideband Code Division Multiple Access）方式の下り回線においてパケットデータを伝送する技術として、ＨＳＤＰＡ（High-Speed Downlink Packet Access）と呼ばれるパケット伝送方式が知られている（例えば、特許文献１参照）。
【０００３】
ＨＳＤＰＡでは、１つの物理チャネルを複数の通信端末装置で時間分割により共有して使用する。このため、基地局装置は、所定の時間単位でパケットデータを送信する先の通信端末装置及びパケットデータの送信パラメータを決定する（一般に「スケジューリング」と呼ばれる）。スケジューリングは、例えば、基地局装置が通信端末装置に送信するデータ量、許容遅延時間、通信品質などに基づいて行われる。
【０００４】
このＨＳＤＰＡにおいて下り高速パケット伝送を行っている通信端末装置がハンドオーバを行う場合、通信端末装置は、常に一定の電力で送信される共通パイロットチャネル（ＣＰＩＣＨ）を用いて、周辺セル内の各基地局装置との下り回線の回線品質を測定し、この回線品質に基づいて、パケット伝送する基地局装置の切り替えを行う。
【０００５】
一方、上り回線にはこのような共通パイロットチャネルが存在しないため、ＵＳＣＨ（Up link Shared CHannel）等の共通チャネルを用いて上り高速パケット伝送を行っている最中にハンドオーバを行う場合にも、ＣＰＩＣＨ（Common Pilot CHannel）を用いて測定した下り回線の回線品質に基づいて、基地局装置の切り替えを行うことができる。
【０００６】
図１２を参照して具体的に説明すると、まず、通信端末装置１は、ハンドオーバを行っている最中であり、セル３及びセル５が重なるエリアに位置している。この状況において、通信端末装置１は、セル３の基地局装置７からＣＰＩＣＨに載せられた信号及びスケジュール情報を受信するとともに、セル５の基地局装置９からもＣＰＩＣＨに載せられた信号及びスケジュール情報を受信している。このとき、通信端末装置１は、両基地局７、９のＣＰＩＣＨの受信電力を比較し、受信電力の大きい、すなわち回線品質の良い方の基地局装置へパケットを伝送する。図１２では、通信端末装置１は、基地局装置９よりも基地局装置７に近く受信品質が良いと考えられるので、パケット伝送先を基地局装置７にするとともに、そのスケジュールに従ってパケット伝送を行う。このようにして、従来の通信端末装置は、セル周辺での受信及び送信の品質向上などを実現している。
【特許文献１】特開２０００−１５１６２３号公報
【発明の開示】
【発明が解決しようとする課題】
【０００７】
ところで、隣接するセルの間で、収容する通信端末装置の数が大きく異なっている状況（以下、リンク不均衡状態という）にある場合が考えられる。図１３には、図１２のセル３及びセル５が収容する通信端末装置の数が大きく異なり、基地局装置７及び基地局装置９の間にリンク不均衡状態が生じている場合について示している。
【０００８】
このような状況において、図１２を参照して示したように通信端末装置１が、基地局装置の状況を考慮することなく、リンクを張っている通信端末装置の数は多いがＣＰＩＣＨの受信品質の良い基地局装置７へパケット伝送すると、基地局装置９のリソースの有効な活用がなされない。そのため、システム全体が、効率的に稼働しないという問題がある。
【０００９】
本発明は、かかる点に鑑みてなされたものであり、通信端末装置の基地局装置に対する上りの高速パケット伝送が可能な無線通信システムにおいて、この無線通信システムのリソースの有効的な活用、さらにシステムの効率的な稼働を実現する通信端末装置及び無線通信方法を提供することを目的とする。
【課題を解決するための手段】
【００１０】
本発明の通信端末装置は、ハンドオーバをする際に、複数の基地局装置の中で最もシステム負荷の少ない基地局装置を選択する選択手段と、前記選択した基地局装置に対し、ハンドオーバ先として接続する接続手段と、を具備する構成を採る。
【００１１】
この構成によれば、通信端末装置が、ハンドオーバをする際に、基地局装置の中で最もシステム負荷の少ない基地局装置を選択するので、通信システム内のリソースの有効利用、さらに通信システムの効率的な稼働を実現することができる。
【００１２】
本発明の通信端末装置は、上り回線で通信端末装置が基地局装置にパケットを伝送する通信システムにおける通信端末装置であって、前記パケット伝送中にハンドオーバを行う際、前記複数の基地局装置の中で最もシステム負荷の少ない基地局装置を選択する選択手段と、前記選択した基地局装置に対し、前記パケットを送信する送信手段と、を具備する構成を採る。
【００１３】
この構成によれば、通信端末装置が、パケット伝送中にハンドオーバを行う際、最もシステム負荷の少ない基地局装置に対してパケットを送信するので、通信システム内のリソースの有効利用、さらに通信システムの効率的な稼働を実現することができる。
【００１４】
本発明の通信端末装置は、上記構成において、リンクを張っている複数の基地局装置からの信号を受信する受信手段をさらに具備し、前記選択手段は、前記受信手段が受信した信号に基づいて、最もシステム負荷の少ない基地局装置を選択する構成を採る。
【００１５】
本発明の通信端末装置は、上記構成において、リンクを張っている複数の基地局装置から前記基地局装置における自機の送信信号の受信電力値を受信する受信手段と、前記受信した受信電力値と、前記送信信号の送信電力値とから伝搬ロスを求め、前記伝搬ロスと、前記基地局装置から自機に割り当てられた送信パラメータに対応したＳＩＲとから前記基地局装置のセル内における干渉電力推定値を算出する制御手段と、を具備し、前記選択手段は、前記干渉電力推定値に基づいて、前記複数の基地局装置の中で最もシステム負荷の少ない基地局装置を選択する構成を採る。
【００１６】
本発明の無線通信方法は、上り回線で通信端末装置が基地局装置にパケットを伝送する通信システムにおける無線通信方法であって、前記パケット伝送中にハンドオーバを行う際、前記複数の基地局装置の中で最もシステム負荷の少ない基地局装置を選択するステップと、前記選択した基地局装置に対し、前記パケットを送信するステップと、を具備するようにした。
【００１７】
この方法によれば、パケット伝送中にハンドオーバを行う際、最もシステム負荷の少ない基地局装置に対してパケットを送信するので、通信システム内のリソースの有効利用、さらに通信システムの効率的な稼働を実現することができる。
【発明の効果】
【００１８】
本発明によれば、上りの高速パケット伝送が可能な無線通信システムにおいて、この無線通信システムのリソースの有効的な活用、さらにシステムの効率的な稼働を実現する通信端末装置及び無線通信方法を提供することができる。
【発明を実施するための最良の形態】
【００１９】
本発明の骨子は、通信端末装置が、ハンドオーバを行う際に、基地局装置におけるシステム負荷を判断基準として、ハンドオーバ先として接続する基地局装置を選択することである。
【００２０】
以下、本発明の一実施の形態について図面を参照して詳細に説明する。
【００２１】
まず、本実施の形態の基地局装置１００の各構成部分の作用について、図１のブロック図を用いて説明する。
【００２２】
受信無線部１０２は、アンテナ１０１に受信された無線周波数の受信信号をベースバンドのディジタル信号に変換し、逆拡散部１０３及び逆拡散部１２１に出力する。
【００２３】
逆拡散部１０３は、無線通信を行う通信端末装置の数だけ用意され、受信ベースバンド信号に対して逆拡散処理を行い、各通信端末装置から送信された個別チャネルの信号を取り出して復調部１０４に出力する。また、逆拡散部１０３は、逆拡散の際に作成する遅延プロファイルから得られる希望波電力を示す情報をＳＩＲ測定部１０６に出力する。
【００２４】
復調部１０４は、無線通信を行う通信端末装置の数だけ用意され、逆拡散部１０３の出力信号に対して復調処理を行い、復調信号をチャネルデコーディング部１０５に出力する。
【００２５】
チャネルデコーディング部１０５は、復調部１０４の出力信号に対して誤り訂正復号等の復号処理を行い、受信データ、下り回線用の送信電力制御コマンド（以下、「ＤＬ−ＴＰＣ」という）及び通信端末装置が基地局装置に対してスケジューリングを要求する情報（以下、ＳＲＱ情報という）を取り出す。受信データは上位の制御局に送られ、ＤＬ−ＴＰＣは送信電力制御部１６４に送られ、ＳＲＱ情報はスケジューリング部１０８に送られる。
【００２６】
なお、ＳＲＱ情報は、通信端末装置が望む送信パケットデータの伝送レートを示す情報であり、例えば１〜ｎ（ｎは２以上の自然数）で表される。この伝送レートは、通信端末装置に蓄積されているパケットデータの量及びその滞留時間と通信端末装置においてパケットデータの送信のために使用可能な送信電力に基づいて定められる。
【００２７】
ＳＩＲ測定部１０６は、無線通信を行う通信端末装置の数だけ用意され、希望波電力の分散値から干渉波電力を算出し、希望波電力と干渉波電力との比（以下、「ＳＩＲ」という）を算出し、ＳＩＲを示す情報をＴＰＣ生成部１０７及びスケジューリング部１０８に出力する。
【００２８】
ＴＰＣ生成部１０７は、無線通信を行う通信端末装置の数だけ用意され、上り回線の受信ＳＩＲと目標ＳＩＲとの大小関係により、上り回線の送信電力の増減を指示する上り回線用の送信電力制御コマンド（以下、「ＵＬ−ＴＰＣ」という）を生成し、ＵＬ−ＴＰＣをチャネルコーディング部１６１に出力する。
【００２９】
スケジューリング部１０８は、各通信端末装置からのＳＲＱ情報及びＳＩＲに基づいてパケットデータの送信を許可する通信端末装置を決定し、そのパケットデータ送信時のパラメータ（誤り訂正符号化の符号化率、変調多値数、拡散率、送信電力等）を決定する（スケジューリング）。そして、スケジューリング部１０８は、スケジューリングの結果を示す情報（以下、「ＳＡＬ情報」という）をチャネルコーディング部１６１に送り、送信パラメータを示す情報を逆拡散部１２１、復調部１２２及びチャネルデコーディング部１２３に出力する。なお、基地局装置１００は、パケットデータの送信を許可する通信端末装置にはＳＡＬ情報を必ず送信するが、他の通信端末装置には送信しなくても良い。
【００３０】
逆拡散部１２１は、スケジューリング部１０８からの送信パラメータ情報に示された拡散率で、受信ベースバンド信号に対して逆拡散処理を行い、通信端末装置から送信されたパケット信号を取り出して復調部１２２に出力する。
【００３１】
復調部１２２は、スケジューリング部１０８からの送信パラメータ情報に示された変調多値数で、逆拡散部１２１から出力されたパケット信号に対して復調処理を行い、復調信号をチャネルデコーディング部１２３に出力する。
【００３２】
チャネルデコーディング部１２３は、スケジューリング部１０８からの送信パラメータ情報に示された符号化率で、復調部１２２から出力された復調信号に対して誤り訂正復号等の復号処理を行い、受信パケットデータを取り出し、誤り検出部１２４に出力する。
【００３３】
誤り検出部１２４は、チャネルデコーディング部１２３から出力された受信パケットデータに対して誤り検出を行う。そして、誤りが検出されなかった場合、誤り検出部１２４は、受信パケットデータを上位局に出力するとともに、正しく復調できた旨を示すＡＣＫ信号をチャネルコーディング部１６１に出力する。一方、誤りが検出された場合、誤り検出部１２４は、正しく復調できなかった旨を示すＮＡＣＫ信号をチャネルコーディング部１６１に出力する。
【００３４】
チャネルコーディング部１６１は、無線通信を行う通信端末装置の数だけ用意され、各通信端末装置に個別チャネルで送信する送信データに、パイロット信号（ＰＬ）、ＡＣＫ／ＮＡＣＫ、ＵＬ−ＴＰＣ及びＳＡＬ情報を多重し、多重化後のデータに対して誤り訂正符号化処理を行い、符号化処理によって得られた信号を変調部１６２に出力する。なお、送信データには、無線ネットワーク制御装置等の上位装置にて、システム負荷を示す情報（以下、「ＳＹＬ情報」という）、ソフトハンドオーバ状態か否かを示す情報（以下、「ＳＨＯ情報」という）が多重されるが、基地局装置は送信データを扱うのみで内容を認識しないためこれらの情報を知ることはない。なお、基地局装置１００から通信端末装置５００に向けてＳＡＬ情報及びＳＹＬ情報が同時に送信されることとなり、この時のイメージ図を図２に示す。
【００３５】
また、ＳＹＬ情報は、少なくとも１つの基地局装置におけるシステム負荷から生成されるものであり、システム負荷を示す指標として、（１）使用中の上り回線における全通信端末装置の伝送レートの和（図３参照）、（２）基地局装置における全通信端末装置の受信電力と熱雑音電力の和（図４参照）即ち、基地局装置における全受信干渉電力であって通常ＲｏＴ（Rise over thermal noise）と呼ばれるもの、（３）通信中の通信端末装置の数、等が挙げられる。
【００３６】
なお、上記上位装置から基地局装置１００に送信されるＳＹＬ情報の一態様を図５に示す。図５においては、上位装置で把握した基地局装置１００の上り回線における全通信端末装置の受信電力と熱雑音電力と他セル干渉の和、即ちＲｏＴ（ｄＢ）を段階的な８つの範囲に分け、この各範囲に３ビットの値を対応させてテーブルとしている。上位装置は、基地局装置１００ごとに送信レートの和を求め、これに対応した３ビットの値を基地局装置１００を介して通信端末装置に送信する。これにより、通信端末装置は、この３ビットの値を受け取ることにより、基地局装置１００のシステム負荷を認識することができる。
【００３７】
変調部１６２は、無線通信を行う通信端末装置の数だけ用意され、チャネルコーディング部１６１の出力信号に対して変調処理を行い、変調信号を拡散部１６３に出力する。
【００３８】
拡散部１６３は、無線通信を行う通信端末装置の数だけ用意され、変調部１６２の出力信号に対して拡散処理を行って増幅部１６５に出力する。
【００３９】
送信電力制御部１６４は、無線通信を行う通信端末装置の数だけ用意され、ＤＬ−ＴＰＣに従って増幅部１６５の増幅量を制御する。増幅部１６５は、無線通信を行う通信端末装置の数だけ用意され、送信電力制御部１６４の制御に従って、拡散部１６３の出力信号の送信電力を増幅し、増幅後の信号を送信無線部１６６に出力する。
【００４０】
送信無線部１６６は、増幅部１６５の出力信号を無線周波数にアップコンバートしてアンテナ１０１から無線送信する。
【００４１】
次に、本実施の形態の通信端末装置について図面を参照して説明する。
【００４２】
まず、通信端末装置が、基地局装置に対して上り高速パケット伝送中にハンドオーバする際、継続してパケット転送を行う基地局装置の選択方法の概略について図６を参照して説明する。
【００４３】
図６において、通信端末装置４０１は、ハンドオーバを行っている最中であり、セル４０３及びセル４０５が重なるエリアに位置している。この状況において、通信端末装置４０１は、セル４０３の基地局装置４０７からＳＹＬ情報及びスケジュール情報を受信するとともに、セル４０５の基地局装置４０９からもＳＹＬ情報及びスケジュール情報を受信している。このとき、通信端末装置４０１は、両基地局装置４０７、４０９からのＳＹＬ情報の比較を行い、最もシステム負荷の少ない基地局装置を選択し、その後のパケット伝送を、選択した基地局装置に対して行う。
【００４４】
次に、通信端末装置５００の各構成部分の作用について、図７のブロック図を用いて説明する。
【００４５】
受信無線部５０２は、アンテナ５０１に受信された無線周波数の受信信号をベースバンドのディジタル信号に変換し、逆拡散部５０３に出力する。
【００４６】
逆拡散部５０３は、受信ベースバンド信号に対して逆拡散処理を行い、基地局装置から送信された個別チャネルの信号を取り出して復調部５０４に出力する。また、逆拡散部５０３は、逆拡散の際に作成する遅延プロファイルから得られる希望波電力を示す情報をＳＩＲ測定部５０６に出力する。
【００４７】
復調部５０４は、逆拡散部５０３の出力信号に対して復調処理を行い、復調信号をチャネルデコーディング部５０５に出力する。チャネルデコーディング部５０５は、復調部５０４の出力信号に対して誤り訂正復号等の復号処理を行い、受信データ、ＳＡＬ情報、ＵＬ−ＴＰＣ及びＡＣＫ／ＮＡＣＫを取り出す。
【００４８】
なお、通信端末装置５００がハンドオーバ中には、上記逆拡散部５０３、復調部５０４及びチャネルデコーディング部５０５が行う処理は、リンクを張っている基地局ごとに行われる。また、ＳＨＯ情報及びＳＹＬ情報は、受信データより取り出される。そして、ＳＡＬ情報は送信パラメータ設定部５４１に送られ、ＵＬ−ＴＰＣは送信電力制御部５２８に送られ、ＡＣＫ／ＮＡＣＫはバッファ５４２に送られ、ＳＨＯ情報及びＳＹＬ情報は基地局選択部５２３に送られる。
【００４９】
ＳＩＲ測定部５０６は、希望波電力の分散値から干渉波電力を算出し、希望波電力と干渉波電力とからＳＩＲを算出し、ＳＩＲを示す信号をＴＰＣ生成部５０７に出力する。
【００５０】
ＴＰＣ生成部５０７は、下り回線の受信ＳＩＲと目標ＳＩＲとの大小関係により、下り回線の送信電力の増減を指示するＤＬ−ＴＰＣを生成し、ＤＬ−ＴＰＣをチャネルコーディング部５２５に出力する。
【００５１】
基地局選択部５２３は、ＳＨＯ情報を受け取ってソフトハンドオーバ中であることを認識すると、各基地局装置１００からのＳＹＬ情報を比較して、最もシステム負荷の少ない基地局装置１００を選択し、選択した基地局装置１００を示す情報を送信パラメータ設定部５４１に出力する。
【００５２】
チャネルコーディング部５２５は、ＤＬ−ＴＰＣに対して誤り訂正符号化処理を行い、符号化処理によって得られた信号を変調部５２６に出力する。
【００５３】
変調部５２６は、チャネルコーディング部５２５の出力信号に対して変調処理を行い、変調信号を拡散部５２７に出力する。拡散部５２７は、無線通信を行う通信端末装置の数だけ用意され、変調部５２６の出力信号に対して拡散処理を行って増幅部５２９に出力する。
【００５４】
送信電力制御部５２８は、ＵＬ−ＴＰＣに従って増幅部５２９の増幅量を制御する。増幅部５２９は、送信電力制御部５２８の制御に従って、拡散部５２７の出力信号の送信電力を増幅し、増幅後の信号を送信無線部５４８に出力する。
【００５５】
送信パラメータ設定部５４１は、基地局選択部５２３からの選択した基地局装置１００を示す情報に対応するＳＡＬ情報によって示される送信パラメータをバッファ５４２、チャネルコーディング部５４３、変調部５４４、拡散部５４５、送信電力制御部５４６に出力する。この結果、通信端末装置５００が、基地局選択部５２３が選択した基地局装置１００のスケジューリングに基づいてパケットデータを送信することになる。
【００５６】
バッファ５４２は、送信パケットデータを一時的に蓄積し、送信パラメータ設定部５４１に指示されたパケットデータを指示された時間でチャネルコーディング部５４３に出力する。このとき、ＡＣＫを入力した場合、バッファ５４２は、送信済みのパケットデータを廃棄し、新規のパケットデータを出力する。一方、ＮＡＣＫを入力したとき、バッファ５４２は、前回送信したパケットデータを再出力する。
【００５７】
チャネルコーディング部５４３は、送信パラメータ設定部５４１に指示された符号化率でパケットデータに対して誤り訂正符号化処理を行い、符号化処理によって得られたパケット信号を変調部５４４に出力する。
【００５８】
変調部５４４は、送信パラメータ設定部５４１に指示された変調多値数でチャネルコーディング部５４３から出力されたパケット信号に対して変調処理を行い、変調後のパケット信号を拡散部５４５に出力する。
【００５９】
拡散部５４５は、送信パラメータ設定部５４１に指示された拡散率で変調部５４４から出力されたパケット信号に対して拡散処理を行い、拡散後のパケット信号を増幅部５４７に出力する。
【００６０】
送信電力制御部５４６は、送信パラメータ設定部５４１の指示に従って増幅部５４７の増幅量を制御する。増幅部５４７は、送信電力制御部５４６の制御に従って、拡散部５４５から出力されたパケット信号の送信電力を増幅し、増幅後の信号を送信無線部５４８に出力する。
【００６１】
送信無線部５４８は、増幅部５４７及び増幅部５２９の出力信号を無線周波数にアップコンバートしてアンテナ５０１から無線送信する。
【００６２】
なお、本実施の形態においては、基地局装置がＳＡＬ情報及びＳＹＬ情報を多重して同時に通信端末装置に対して送信するものとして説明を行ったが、これに限定されるものではなく、まず基地局装置はＳＹＬ情報を送信し、それを受信した通信端末装置がＳＹＬ情報に基づいて、継続してパケット転送を行う基地局装置を選択した後に、選択された基地局装置がＳＡＬ情報を送信する構成としても良い。
【００６３】
また、本実施の形態においては、基地局装置から送信されるＳＹＬ情報に基づいて、基地局装置のシステム負荷を判断しているが、これに限定されるものではなく、以下のようにセル内の干渉電力値から基地局装置のシステム負荷を推定することができる。そして、干渉電力値の最も小さい基地局装置のシステム負荷が最も少ないと推定して基地局装置を選択することができる。
【００６４】
図８のフロー図を参照して具体的に説明すると、まず、ＳＴ７０１において、通信端末装置５００の制御部（図示せず）が伝搬ロスを測定することに用いる測定信号を生成する。この測定信号はチャネルコーディング部５２５、変調部５２６及び拡散部５２７で所定の処理が施され、増幅部５２９に出力される。増幅部５２９は、送信電力制御部５２８の制御に従って、拡散部５２７からの測定信号の送信電力を増幅し、増幅後の測定信号が送信無線部５４８から基地局装置１００に対して、ＤＰＣＣＨ(Dedicated Physical Control CHannel)を利用して送信される。このとき、上記制御部は、増幅した測定信号の送信電力の値を記憶する。
【００６５】
次に、ＳＴ７０２において、基地局装置１００の受信無線部１０２は、通信端末装置５００から他の信号と多重された測定信号を受信する。この受信された測定信号は、多重された他の信号とともに逆拡散部１０３、復調部１０４及びチャネルデコーディング部１０５で所定の処理が施されることにより取り出される。制御部（図示せず）は、この取り出された測定信号を受け取り、測定信号の受信電力を測定する。そして、測定され受信電力の値は、チャネルコーディング部１６１、変調部１６２及び拡散部１６３で所定の処理を施され、受信電力値信号として増幅部１６５に出力される。増幅部１６５は、送信電力制御部１６４の制御に従って、受信電力値信号の送信電力を増幅し、増幅後の受信電力値信号が送信無線部１６６から通信端末装置５００に対して、ＤＰＣＣＨを利用して送信される。
【００６６】
次に、ＳＴ７０３において、通信端末装置５００の受信無線部５０２は、基地局装置から他の信号と多重された受信電力値信号を受信する。この受信された受信電力値信号は、多重された他の信号とともに逆拡散部５０３、復調部５０４及びチャネルデコーディング部５０５で所定の処理が施されることにより取り出される。制御部は、取り出された受信電力値信号が示す電力値を、記憶しておいた測定信号の送信電力値から減算して、伝搬ロスを求める。
【００６７】
次に、ＳＴ７０４において、制御部は、通信端末装置５００の最大送信電力から上記伝搬ロス値を減算して、基地局装置１００が通信端末装置５００から受け取る信号の最大受信電力を求める。また、制御部は、自機に割り当てられたＴＦＣに応じた目標ＳＩＲをＴＦＣＳテーブルから求める。次に、制御部は、上記最大受信電力を目標ＳＩＲで除算して、この計算結果を基地局装置１００のセル内における干渉電力推定値とする。なお、ＴＦＣとは、複数の個別チャネル（ＤＣＨ)でデータを多重して伝送する場合に、各ＤＣＨで送信するデータ量等を示すトランスポートフォーマット（ＴＦ)の組合せであるトランスポートフォーマットコンビネーションを意味する。
【００６８】
次に、ＳＴ７０５において、基地局選択部５２３は、各基地局装置１００における干渉電力推定値を制御部から受け取って比較を行い、最も干渉電力推定値が小さい基地局装置１００を選択し、選択した基地局装置１００を示す情報を送信パラメータ設定部５４１に出力する。
【００６９】
なお、基地局装置１００は、上位装置からのシステム負荷を示すＳＹＬ情報をただ単に通信端末装置５００に転送するのみで内容を認識しないものとして説明したが、基地局装置１００においてそのセル内のトラヒックを測定して通信端末装置５００へ送信する構成とすることもできる。このときの基地局装置１００の機能構成の一例を図９に示す。
【００７０】
図９に示すように、基地局装置１００は、セルトラヒック測定部９０１、トラヒック情報生成部９０２、通信端末装置（ＵＥ）制御情報受信部９０３、ソフトハンドオーバ中（ＳＨＯ）スケジュール計算部９０４、ハンドオーバ判定部９０５、トラヒック情報送信部９０６及びスケジュール情報送信部９０７を具備する。
【００７１】
セルトラヒック測定部９０１は、基地局装置１００における使用中の上り回線における全通信端末装置の伝送レートの和からそのセル内のトラヒック（以下、セルトラヒックという）を測定する。なお、ハンドオーバ中においては、この測定は、リンクを張っている各基地局装置に関して行われる。そして、トラヒック情報生成部９０２は、セルトラヒック測定部９０１から受け取るセルトラヒックを基にトラヒック情報を生成する。
【００７２】
また、ＵＥ制御情報受信部９０３は、各通信端末装置からＳＲＱ情報及びＳＩＲなどを含む制御情報を受け取り、ＳＨＯ中スケジュール計算部９０４へ与える。ＳＨＯスケジュール計算部９０４は、ハンドオーバ判定部９０５からハンドオーバ中であることを示すハンドオーバ情報を受け取った時に、上記制御情報に基づいてスケジューリングを行う。
【００７３】
トラヒック情報送信部９０６は、トラヒック情報生成部９０２からトラヒック情報を受け取り、通信端末装置５００に対して送信する。また、スケジュール情報送信部９０７は、ＳＨＯ中スケジュール計算部９０４からスケジュール情報を受け取り、通信端末装置５００に対して送信する。
【００７４】
また、本実施の形態においては、通信端末装置５００が基地局装置１００から受信するＳＹＬ情報に基づいて基地局装置１００におけるシステム負荷を判断し、最もシステム負荷の少ない基地局装置１００に対してパケットを送信するものとして説明したが、これに限定されるものではなく、図１０に示すように基地局装置１００から受け取るトラヒック情報及びスケジュールに基づいて、パケット伝送を行う基地局装置１００の決定及びその基地局装置１００に対するデータ伝送レートを決定する構成としてもよい。
【００７５】
図１１は、そのときの通信端末装置５００における動作を説明するための概略図である。
【００７６】
図１１に示すように、通信端末装置５００は、セルＡ及びセルＢに対応する基地局装置１００−Ａ及び１００−Ｂの各々からトラヒック情報及びスケジュールされたデータ伝送レートを受け取り、これらに基づいて、パケットを伝送する基地局装置１００を決定するとともに自機が伝送する際のデータ伝送レートを計算して、これを最終データ伝送レート（Final datarate）とする。そして、通信端末装置５００は、決定した基地局装置１００に対して計算した最終データ伝送レートを送信する。
【００７７】
なお、上記データ伝送レートの計算は、以下の式で計算する。ここで、下記（式１）は、一般式であり、（式２）は、１つの具体例を示したものである。また、以下の数式において、RoT_cellAはセルＡにおけるＲｏＴ、RoT_cellBはセルＢにおけるＲｏＴ、Scheduleddatarate(FTCS)_cellAはセルＡの基地局装置においてスケジュールされたデータ伝送レート、Scheduleddatarate(FTCS)_cellBはセルＢの基地局装置においてスケジュールされたデータ伝送レートを意味する。
FinalDatarate(or TFCS)=Function(RoT_cellA,RoT_cellB,Scheduleddatarate(TFCS)_cellA,Scheduleddatarate(TFCS)_cellB)・・・・（式１）
【数１】
2005229417.tif 000003
【００７８】
以上のように、本実施の形態によれば、通信端末装置が、基地局装置に対して上り高速パケット伝送中にハンドオーバを行う際に、基地局装置からのＳＹＬ情報又は通信端末装置自身が求める基地局装置のセル内における干渉電力推定値を利用してその基地局装置のシステム負荷状況を判断し、最もシステム負荷の少ない基地局装置を継続してパケット転送を行う先として選択することにより、無線通信システムのリソースの有効的な活用、さらにシステムの効率的な稼働を実現することができる。
【００７９】
また、通信端末装置が、基地局装置に対して上り高速パケット伝送中にハンドオーバを行う際に、通信端末装置がシステム負荷の多い、すなわちリンクを張っている通信端末装置の数が多いと推定される基地局装置からシステム負荷の少ない基地局装置へ接続先を切り替えるので、基地局装置ごとのリンクが張られている通信端末装置の数の均等化を図ることができる。さらに、リンクを張っている通信端末装置の数が多い基地局装置のセル内における干渉電力を減少させることができるため、無線通信システムにおける通信端末装置の受信品質の均等化も図ることができる。
【産業上の利用可能性】
【００８０】
本発明は、通信端末装置の基地局装置に対する上りの高速パケット伝送が可能な無線通信システムにおいて、この無線通信システムのリソースの有効的な活用、さらにシステムの効率的な稼働を実現する通信端末装置及び無線通信方法として有用である。
【図面の簡単な説明】
【００８１】
【図１】本発明の一実施の形態に係る基地局装置の構成を示すブロック図
【図２】ＳＡＬ情報及びＳＹＬ情報の送信状況の一態様を示すイメージ図
【図３】各基地局装置のセル内における伝送レートの和を示す模式図
【図４】各基地局装置のセル内における受信電力の和を示す模式図
【図５】上位装置から基地局装置に送信されるＳＹＬ情報の一態様を示す図
【図６】通信端末装置が基地局装置に対して上り高速パケット伝送中にハンドオーバするときの状態を示した図
【図７】一実施の形態に係る通信端末装置の構成を示すブロック図
【図８】セルの干渉電力推定値を用いて基地局装置を選択する場合の通信端末装置の動作を示すフロー図
【図９】基地局装置の機能構成の一例を示すブロック図
【図１０】一実施の形態に係る通信端末装置の他の構成を示すブロック図
【図１１】通信端末装置における動作を説明するための概略図
【図１２】従来の通信端末装置が基地局装置に対して上り高速パケット伝送中にハンドオーバするときの状態を示した図
【図１３】基地局装置のリンク不均衡状態を示した図
【符号の説明】
【００８２】
１、４０１、５００  通信端末装置
３、５、４０３、４０５  セル
７、９、１００、４０７、４０９  基地局装置
１０１、５０１  アンテナ
１０２、５０２  受信無線部
１０３、１２１、５０３  逆拡散部
１０４、１２２、５０４  復調部
１０５、１２３、５０５  チャネルデコーディング部
１０６、５０６  ＳＩＲ測定部
１０７、５０７  ＴＰＣ生成部
１０８  スケジューリング部
１２４  誤り検出部
１６１、５２５、５４３  チャネルコーディング部
１６２、５２６、５４４  変調部
１６３、５２７、５４５  拡散部
１６４、５２８、５４６  送信電力制御部
１６５、５２９、５４７  増幅部
１６６、５４８  送信無線部
５２３  基地局選択部
５４１  送信パラメータ設定部
５４２  バッファ
【図１】
2005229417.tif 000004
【図２】
2005229417.tif 000005
【図３】
2005229417.tif 000006
【図４】
2005229417.tif 000007
【図５】
2005229417.tif 000008
【図６】
2005229417.tif 000009
【図７】
2005229417.tif 000010
【図８】
2005229417.tif 000011
【図９】
2005229417.tif 000012
【図１０】
2005229417.tif 000013
【図１１】
2005229417.tif 000014
【図１２】
2005229417.tif 000015
【図１３】
2005229417.tif 000016